(57)【要約】【課題】施工が容易で、見栄え良く洗面化粧台の側板を床面に固定できる床固定構造を提供する。【解決手段】洗面器の下方をオープンにし、座った状態でキャビネット内空間へ足を入れて使用することのできる洗面化粧台１における、キャビネットの側板２１の底に床固定部材６を嵌合し、側板２１の前面２１ａから手前側へはみ出す床固定部材６のはみ出し部６Ｐの傾斜面６ｄにドリルネジ７を差し込み、ドリルネジ７を床面Ｆに締め付けて固定する。【選択図】図３
2010075300.tif 000002
【特許請求の範囲】
【請求項１】
洗面器の下方をオープンにし、座った状態でキャビネット内空間へ足を入れて使用することのできる洗面化粧台において、
前記キャビネットの側板の底に床固定部材を嵌合し、該床固定部材の前記側板から手前側へはみ出すはみ出し部を床面に固定した
ことを特徴とする洗面化粧台の床固定構造。
【請求項２】
前記側板の底面と前記床面間に隙間を形成し、該隙間に前記床固定部材を設けた
ことを特徴とする請求項１に記載の洗面化粧台の床固定構造。
【請求項３】
前記はみ出し部を傾斜面とし、該傾斜面にネジを前記床面に対し斜めに打ち込むように構成した
ことを特徴とする請求項１に記載の洗面化粧台の床固定構造。
【請求項４】
洗面器の下方をオープンにし、座った状態でキャビネット内空間へ足を入れて使用することのできる洗面化粧台において、
前記キャビネットの側板の底に床固定部材を嵌合し、該床固定部材の前面に形成した傾斜面にネジを床面に対し斜めに打ち込み、該ネジの頭部を前記側板の前面より奥側に配置した
ことを特徴とする洗面化粧台の床固定構造。
【発明の詳細な説明】
【技術分野】
【０００１】
本発明は、洗面器の下方のキャビネット内空間へ、座った状態で足を入れて使用することのできる洗面化粧台の床面への固定構造に関するものである。
【背景技術】
【０００２】
従来、この種の洗面化粧台の床固定構造として、例えば特許文献１に開示されているような構造がある。
この構造では、洗面化粧台のキャビネットの側板をＬ型の固定金具を用いて床面へ固定するようにしており、固定金具は、その一片がキャビネットの側板の内面にビス固定され、他方の一片が床面へビス固定されるものである。
【特許文献１】特開２００２−２０９７７４号公報
【発明の開示】
【発明が解決しようとする課題】
【０００３】
上記特許文献１に開示されているＬ型の固定金具を用いる構造では、固定金具の位置合わせが難しく、施工が困難となり、また、固定金具の一片がキャビネットの側板の内側に露出して見栄えが悪くなるという問題点があった。
【課題を解決するための手段】
【０００４】
本発明は、施工が容易で、見栄えが良い洗面化粧台の床固定構造の提供を目的とし、この目的の少なくとも一部を達成するために以下の手段を採った。
本発明は、洗面器の下方をオープンにし、座った状態でキャビネット内空間へ足を入れて使用することのできる洗面化粧台において、前記キャビネットの側板の底に床固定部材を嵌合し、該床固定部材の前記側板から手前側へはみ出すはみ出し部を床面に固定したことを要旨とする。
【発明の効果】
【０００５】
キャビネットの側板の底に床固定部材を嵌合させたため、床固定部材がキャビネットの側板の内側に出っ張ることがなく、足が当たることがない。しかも床固定部材は側板の底側に隠れて目立たなくなり、見栄えの良い設置状態が得られる。また、床固定部材の手前側へはみ出したはみ出し部を床面に固定するものであるため、施工が極めて容易である。
【０００６】
また、本発明の洗面化粧台の床固定構造において、前記側板の底面と前記床面間に隙間を形成し、該隙間に前記床固定部材を設けた構成とすることもできる。
こうすれば、側板の底面と床面間の隙間には床固定部材が設けられるため、前方側から足の指が隙間には入ることがなく、指挟み等を良好に防止することができるものとなる。
【０００７】
また、本発明の洗面化粧台の床固定構造において、前記はみ出し部を傾斜面とし、該傾斜面にネジを前記床面に対し斜めに打ち込むように構成することもできる。
こうすれば、床固定部材の傾斜面に対し斜め上方からネジを床面に斜めに打ち込んで、床面にはみ出し部を固定することができ、施工が前方側から容易に行えるものとなる。
【０００８】
また、本発明は、洗面器の下方をオープンにし、座った状態でキャビネット内空間へ足を入れて使用することのできる洗面化粧台において、前記キャビネットの側板の底に床固定部材を嵌合し、該床固定部材の前面に形成した傾斜面にネジを床面に対し斜めに打ち込み、該ネジの頭部を前記側板の前面より奥側に配置した構成とすることができる。
こうすれば、床固定部材の前面に形成した傾斜面に前方側からネジを床面に斜めに打ち込んで、前方側から床固定部材を床面に固定することができ、施工が容易であり、また、床固定部材はキャビネットの側板の底側に隠れるため目立たなくなり、ネジの頭部も見えにくくなり、施工後の見栄えがすっきりしたものとなる。
【発明を実施するための最良の形態】
【０００９】
次に、本発明を実施するための最良の形態を実施例を用いて説明する。
図１は、洗面化粧台の設置状態の斜視構成図である。
洗面化粧台１は、キャビネット２の上面に、洗面器３ａが一体形成されたカウンター３が設けられており、カウンター３上には手摺り４，４が設けられている。
キャビネット２は、背板２０の左右両端側に前方側へ突出して左右の側板２１，２１が設けられて、洗面器３ａの下方はオープン空間となっており、車椅子等に座ったままで、洗面器３ａの下方のキャビネット２内に足を入れて使用することができるように構成されている。
【００１０】
このキャビネット２の左右の側板２１，２１の底面には、床面Ｆに当接するアジャスター５，５が垂下状に設けられて、各側板２１の底面と床面Ｆ間には隙間Ｓが形成されている。
また、左右の側板２１，２１の底面前部には床固定部材６がそれぞれ嵌合されて、床固定部材６が隙間Ｓに配置され、この床固定部材６を介してキャビネット２の側板２１が床面Ｆに固定されている。即ち、キャビネット２の強度を確保するために左右の側板２１，２１がそれぞれ床面Ｆに床固定部材６を介して固定される。
側板２１の底面の前部に嵌合される床固定部材６は、図２の斜視図で示すような構造に樹脂で形成されたものである。
【００１１】
即ち、図２において、床固定部材６は、水平な上面６ａの左右両端側から垂下状に左右の側面６ｂ，６ｂが一体形成され、上面６ａの後端側から垂下状に後面６ｃが一体形成されて、床固定部材６は下方が開放された箱状に形成され、前端側には傾斜状に傾斜面６ｄが形成されており、この傾斜面６ｄには座グリ部６ｅが形成されて、その中央部にはネジ孔６ｆが形成されている。
また、上面６ａには、前後方向に間隔をおいて上方へ突出してダボ部６ｈ，６ｈが形成されており、また、上面６ａには上下に貫通して２個の貫通孔６ｇ，６ｇが形成されている。
【００１２】
このような形状の床固定部材６は、上面６ａの左右寸法が、キャビネット２の側板２１の厚みとほぼ同寸法に設定されており、ダボ部６ｈ，６ｈを、側板２１の底面２１ｂに予め形成した図示しないダボ孔内に嵌合させて、この床固定部材６は側板２１の底面２１ｂに取り付けることができる。なお、この場合、更に床固定部材６の貫通孔６ｇ，６ｇ内にビスを挿通させ、ビスを側板２１の底面２１ｂに締め付けて、より強固に床固定部材６を側板２１に固定することもできる。
【００１３】
この床固定部材６を側板２１の底側前部に嵌合させた状態は、図３に示す。
即ち、床固定部材６が嵌合された状態では、床固定部材６の上面６ａが側板２１の底面２１ｂに当接状となり、側板２１の厚みと床固定部材６の左右寸法はほぼ同じであるため、側板２１から連続して下方へ床固定部材６が延びた状態となり、すっきりとした取付状態が得られるものである。この時に、床固定部材６の傾斜面６ｄを備えたはみ出し部６Ｐが、側板２１の前面２１ａよりも前方へ突出するように設定されている。
【００１４】
図３の状態で、床固定部材６を床面Ｆに当接させて、前側より、はみ出し部６Ｐの傾斜面６ｄに形成されているネジ孔６ｆ内に、ドリルネジ７のネジ部７ｂを差し込んで、ドリルネジ７を床面Ｆに対し斜めに打ち込んで、ネジを切りながらドリルネジ７を床面Ｆに締め付けてゆき、やがては図４に示すように、ドリルネジ７の頭部７ａが傾斜面６ｄの座グリ部６ｅに嵌め込まれて、ドリルネジ７の頭部７ａは傾斜面６ｄの表面と略面一状となる。
この状態で側板２１の前面側に露出するのは、はみ出し部６Ｐとドリルネジ７の頭部７ａのみであり、すっきりとしたデザインで床固定部材６を介してキャビネットの側板２１を床面Ｆに固定することができる。また、ドリルネジ７は前方側から良好に締め付けてゆくことができ、施工が容易なものとなる。
【００１５】
このように、床固定部材６が側板２１の厚み内に入り、側方への出っ張りがなく、目立たなくなり、設置状態の意匠性が向上する。また、使用者の足などが床固定部材６に引っ掛かることはなく、使用者は左右の側板２１，２１内に足を入れて洗面化粧台１を使用可能となる。
また、側板２１と床面Ｆの隙間Ｓ内には床固定部材６が前方側に配置されているため、隙間Ｓ内に前方側から子供の足の指等が入ることがなく、指挟み等が良好に防止されるものである。即ち、床固定部材６は、側板２１と床面Ｆ間の隙間Ｓを埋めるスペーサーの機能も果している。
【００１６】
次に、図５に示すものは変更例である。
図５では、側板２１の底面と床面Ｆ間に隙間が存在しない場合であり、側板２１の底面２１ｂが直接床面Ｆ上に当接されるタイプである。
この側板２１の底面２１ｂの前端側には、予め切り欠いて切欠部２１ｃが形成されており、この切欠部２１ｃ内に床固定部材６を嵌め込み固定することができるように構成されている。即ち、床固定部材６は、ダボ部６ｈ，６ｈを、側板２１の切欠部２１ｃに予め形成したダボ孔内に嵌め込んで、切欠部２１ｃ内に一体状に床固定部材６を固定することができる。
【００１７】
この図５の床固定部材６の固定状態では、床固定部材６の下端と側板２１の底面２１ｂとがほぼ面一状となる。
また、側板２１の前面２１ａの下端側で、床固定部材６のはみ出し部６Ｐが前方側へはみ出し状態となり、傾斜面６ｄが露出した状態となる。この状態で、前方側から傾斜面６ｄのネジ孔６ｆ内にドリルネジ７のネジ部７ｂを挿通させて、ドリルネジ７を床面Ｆに締め付けてゆき、ドリルネジ７により床固定部材６を床面Ｆに固定して、強固にキャビネットの側板２１を床面Ｆに固定できる。
【００１８】
本例においても、側板２１の厚み内に出っ張りなく床固定部材６が固定され、使用者の足などに床固定部材６が引っ掛かることがなく、すっきりとした設置状態が得られるものである。
また、本例では、床面と側板２１間に隙間はなく、しかも切欠部２１ｃは床固定部材６で埋められるため、足の指などが挟み込まれる心配はない。
本例においても、前方側から床固定部材６の傾斜面６ｄにドリルネジ７を締め付けて施工することができ、施工が容易である。
【００１９】
次に、図６には別の施工例を示す。
図６では、図２のような床固定部材６が用いられるが、この床固定部材６の前端側の傾斜面６ｄが側板２１の前面２１ａよりも前方側に突出することのないように、床固定部材６を側板２１の底面２１ｂに嵌合させて取り付けたものである。
この場合、前方側からドリルネジ７を傾斜面６ｄのネジ孔６ｆに挿入させて、前方側からドリルネジ７を床面Ｆに締め付けてゆくこととなるが、このドリルネジ７を締め付けてゆく際に、ドリルネジ７の頭部７ａの打ち込み軌道よりも、側板２１の前面２１ａ下端が上方に位置するように、床固定部材６の固定位置を設定しておく必要があり、ドリルネジ７を傾斜面６ｄのネジ孔６ｆに挿入させる際に、ドリルネジ７の頭部７ａが側板２１の前面２１ａの下端に当接しないように床固定部材６が配置されている。
【００２０】
そのため、前方側からドリルネジ７を床面Ｆに締め付けて固定した後には、ドリルネジ７の頭部７ａは傾斜面６ｄの座グリ部６ｅ内に嵌まり込み、ドリルネジ７の頭部７ａは側板２１の前面２１ａの奥側に配置されることとなるため、目立たなくなり、すっきりとした意匠性を呈して洗面化粧台１が設置されることとなる。
図６では、床固定部材６およびドリルネジ７の頭部７ａは、側板２１の底側に隠れた状態となり、極めて見栄え性が良く、足が当たることもなく邪魔にならず、また、前方側から隙間Ｓ内に足の指が挟み込まれることも良好に床固定部材６で防がれるものとなる。
【００２１】
次に、図７に示すものは、床固定部材６の形状を変更したものである。
図７では、床固定部材６の前端側に傾斜面は存在せず、はみ出し部６Ｐの前端まで上面６ａが延びて、床固定部材６全体が平板ブロック状に形成されたものであり、上面６ａには、図２のように、上方へ突出して一対のダボ部６ｈ，６ｈが形成されており、このダボ部６ｈ，６ｈが、キャビネットの側板２１の底面２１ｂに形成されている図示しないダボ孔内に嵌合され、側板２１の底面２１ｂに嵌合状に床固定部材６が取り付けられるものである。
【００２２】
この床固定部材６の取付状態で、床固定部材６の前端のはみ出し部６Ｐが側板２１の前面２１ａの下端から前方側へ突出するものであり、この平板状のはみ出し部６Ｐの上面６ａに、座グリ部６ｅが凹み状に形成され、その中央部に上下に貫通してネジ孔６ｆが形成されている。
このネジ孔６ｆに対し、上方から真っ直ぐ下方に向かってドリルネジ７のネジ部７ｂを通し、ネジ部７ｂを、ネジを切りながら床面Ｆにネジ込んでゆき、やがてはドリルネジ７の頭部７ａが座グリ部６ｅ内に嵌まり込んで、ドリルネジ７の頭部７ａは床固定部材６の上面６ａとほぼ面一状態となり、床固定部材６を介してキャビネットの側板２１が床面Ｆに強固に固定されるものである。
【００２３】
本例では、床固定部材６の形状が平板ブロック状であり、床固定部材６を低コストで製作することができ、しかも、ドリルネジ７は、ネジ孔６ｆに対し真上から垂直に差し込んで床面Ｆに締め付けることができ、ドリルネジ７の締め付け作業が容易なものとなる。
【図面の簡単な説明】
【００２４】
【図１】洗面化粧台の設置状態の斜視構成図である。
【図２】床固定部材の斜視構成図である。
【図３】床固定部材をキャビネットの側板の底面に取り付け、ドリルネジで床面に固定する前の要部拡大斜視構成図である。
【図４】ドリルネジで床面に固定した後の要部拡大構成図である。
【図５】キャビネットの側板と床面間に隙間がない場合の床固定部材の配置状態の要部拡大斜視構成図である。
【図６】床固定部材をキャビネットの側板の前面よりも奥側に配置させた場合の要部拡大斜視構成図である。
【図７】平板状の床固定部材を用いた場合の変更例を示す図３に対応させた要部拡大斜視構成図である。
【符号の説明】
【００２５】
１  洗面化粧台
２  キャビネット
３  カウンター
３ａ  洗面器
５  アジャスター
６  床固定部材
６ａ  上面
６ｂ  側面
６ｃ  後面
６ｄ  傾斜面
６ｅ  座グリ部
６ｆ  ネジ孔
６ｇ  貫通孔
６ｈ  ダボ部
６Ｐ  はみ出し部
７  ドリルネジ
７ａ  頭部
７ｂ  ネジ部
２１  側板
２１ａ  前面
２１ｂ  底面
Ｆ  床面
Ｓ  隙間
【図１】
2010075300.tif 000003
【図２】
2010075300.tif 000004
【図３】
2010075300.tif 000005
【図４】
2010075300.tif 000006
【図５】
2010075300.tif 000007
【図６】
2010075300.tif 000008
【図７】
2010075300.tif 000009